(57)【要約】      （修正有）【課題】拡張機能付き旅行かばんを提供する。【解決手段】拡張機能付き旅行かばん１は第一シェル１０、第二シェル２０、環状部位３０および少なくとも一つの伸縮装置４０を備える。第一シェルは穿孔を有する。環状部位は第一シェルと第二シェルとを結合させる。伸縮装置は可動台座、固定座および位置決め機構を有する。可動台座は第一シェルに配置される。固定座は可動台座に対応するように第二シェルに配置される。位置決め機構は固定座および可動台座に連結され、制御端部を有する。制御端部は第一シェルの穿孔に露出する。制御端部が作動しない場合、位置決め機構はロック状態を維持するため、可動台座は固定座に相対して移動することができない。制御端部が作動すると、位置決め機構が解錠されるため、可動台座は固定座に相対して移動することができる。上述した構造により、実際のニーズに応じて拡張機能付き旅行かばんの収納空間を均等に拡張することができる。【選択図】図３
0003205867.tif 000002
【実用新案登録請求の範囲】
【請求項１】
第一シェル、第二シェル、環状部位、少なくとも一つの伸縮装置および少なくとも一つのガイド装置を備え、
前記第一シェルは、第一開口周縁部および少なくとも一つの穿孔を有し、
前記第二シェルは、第二開口周縁部を有し、
前記環状部位は、一方側が前記第一開口周縁部に連結され、他方側が前記第二開口周縁部に連結されることによって前記第一シェルと前記第二シェルとを結合させ、
少なくとも一つの前記伸縮装置は、可動台座、固定座および位置決め機構を有し、前記可動台座は前記第一シェルに配置され、前記固定座は前記可動台座に対応するように前記第二シェルに配置され、前記位置決め機構は前記固定座および前記可動台座に連結され、制御端部を有し、前記制御端部は前記第一シェルの前記穿孔に露出し、前記制御端部が作動しない場合、前記位置決め機構はロック状態を維持するため、前記可動台座は前記固定座に相対して移動することができなく、前記制御端部が作動すると、前記位置決め機構が解錠されるため、前記可動台座は前記固定座に相対して移動することができ、
少なくとも一つの前記ガイド装置は、桿状可動部および桿状固定部を有し、前記桿状可動部は前記第一シェルに配置され、前記桿状固定部は前記桿状可動部に対応するように前記第二シェルに配置されることを特徴とする拡張機能付き旅行かばん
【請求項２】
前記固定座は、スリーブ管および複数の位置決め孔を有し、前記スリーブ管は前記第二シェルに配置され、複数の前記位置決め孔は前記スリーブ管の壁面に配置され、
前記可動台座は、桿状貫通部材、外側基部および内側基部を有し、前記桿状貫通部材は前記スリーブ管に差し込まれ、前記外側基部は前記第一シェルかつ前記桿状貫通部材の外側端部に配置され、前記内側基部は前記桿状貫通部材の内側端部に配置され、前記桿状貫通部材に繋がる第一軸孔と、前記第一軸孔と外部に繋がる第一径孔部とを有し、
前記位置決め機構は、さらにピン、第一スプリング、桿状連結部および作動ユニットを有し、前記ピンは前記内側基部の前記第一径孔部に伸縮できるように配置され、前記第一スプリングは前記内側基部に配置され、一端が前記ピンに当接し、他端が前記内側基部の内壁に当接し、前記桿状連結部は前記桿状貫通部材を貫通し、前記内側基部の前記第一軸孔に差し込まれ、前記作動ユニットは前記外側基部に配置され、前記第一シェルの前記穿孔に露出し、前記ピンは前記スリーブ管の一つの前記位置決め孔に入り込み、第一ガイド面を有し、前記桿状連結部は内側端部および外側端部を有し、前記桿状連結部の前記内側端部は前記第一ガイド面に当接する第二ガイド面を有し、前記作動ユニット即ち前記位置決め機構の前記制御端部は前記桿状連結部の前記外側端部に当接できる延長部を有することを特徴とする請求項１に記載の拡張機能付き旅行かばん。
【請求項３】
前記ピンは、さらに中空部を有し、前記第一ガイド面は前記中空部の内壁に形成されることを特徴とする請求項２に記載の拡張機能付き旅行かばん。
【請求項４】
前記固定座は、さらに二つの固定ユニットを有し、二つの前記固定ユニットは前記スリーブ管の両端に配置され、かつ前記第二シェルの内側面に固定されることを特徴とする請求項２に記載の拡張機能付き旅行かばん。
【請求項５】
前記固定座は、さらに第一板部を有し、前記第一板部は前記第二シェルの外側面に配置され、かつ一つの前記固定ユニットに接続されることを特徴とする請求項４に記載の拡張機能付き旅行かばん。
【請求項６】
前記可動台座は、さらに第二板部を有し、前記第二板部は前記第一シェルの外側面に配置され、前記可動台座の前記外側基部に連結され、溝孔を有し、前記位置決め機構の前記作動ユニットは前記溝孔を貫通することを特徴とする請求項２に記載の拡張機能付き旅行かばん。
【請求項７】
前記第二板部は、さらに突起部を有し、前記突起部は前記溝孔の横に形成されることを特徴とする請求項６に記載の拡張機能付き旅行かばん。
【請求項８】
前記桿状固定部は、壁面に複数の位置決め孔を有し、
前記桿状可動部は、穿孔、位置決めユニットおよび第二スプリングを有し、前記穿孔は前記桿状可動部の壁面の一方側に位置し、前記位置決めユニットは前記桿状可動部の前記穿孔に格納され、前記第二スプリングは前記桿状可動部内に配置され、一端が前記位置決めユニットに当接するため、前記位置決めユニットは前記桿状固定部の前記位置決め孔に入り込むことを特徴とする請求項１に記載の拡張機能付き旅行かばん。
【請求項９】
前記桿状可動部は、さらに管体および基部を有し、前記基部は前記管体の内側端部に配置され、第二軸孔および第二径孔部を有し、前記第二軸孔は前記管体の内部に繋がり、前記第二径孔部、即ち前記桿状可動部の前記穿孔は前記第二軸孔および外部に繋がることを特徴とする請求項８に記載の拡張機能付き旅行かばん。
【請求項１０】
前記桿状固定部は、固定ユニットによって両端が前記第二シェルに据えられることを特徴とする請求項１に記載の拡張機能付き旅行かばん。
【請求項１１】
前記桿状可動部は、内側端部および外側端部を有し、前記内側端部は前記桿状固定部内に位置し、前記外側端部は固定ユニットによって前記第一シェルに据えられることを特徴とする請求項１に記載の拡張機能付き旅行かばん。
【請求項１２】
さらにファスナーを備え、
前記ファスナーは、前記環状部位の外側に配置され、一方側が前記第一開口周縁部に連結され、他方側が前記第二開口周縁部に連結されることによって前記第一シェルと前記第二シェルとを結合させることを特徴とする請求項１に記載の拡張機能付き旅行かばん。
【考案の詳細な説明】
【技術分野】
【０００１】
本考案は、旅行かばん、特に拡張機能付き旅行かばんに関するものである。
【背景技術】
【０００２】
市販の旅行かばんは、ソフトケースおよびハードケースの二種類に分けられる。一部の伸縮機能付きソフトケースの場合、荷物の量に応じて特定装置（例えばファスナー）を解錠し、ケースを拡張し、収納量を増大させれば、収納し切れないという問題を解決することができる。しかしながら、荷物が均等に収納されないとソフトケースの拡張状態が一致しないため、旅行かばんは変形し、搬送される際に外力を受けてケース内の荷物を圧迫し、損壊させてしまうという事態が発生する。それに対し、ハードケースは荷物損壊を抑制できるが、伸縮機能および拡張機能がないため、収納量は制限される。従って、収納空間を均等に拡張できると同時に荷物損壊を抑制できる旅行かばんを完成させることは業者の課題となる。
【考案の概要】
【考案が解決しようとする課題】
【０００３】
本考案は、ユーザーのニーズに応じて収納空間を均等に拡張できる拡張機能付き旅行かばんを提供することを主な目的とする。
【課題を解決するための手段】
【０００４】
上述した課題を解決するため、拡張機能付き旅行かばんは第一シェル、第二シェル、環状部位、少なくとも一つの伸縮装置および少なくとも一つのガイド装置を備える。第一シェルは第一開口周縁部および少なくとも一つの穿孔を有する。第二シェルは第二開口周縁部を有する。環状部位は一方側が第一開口周縁部に連結され、他方側が第二開口周縁部に連結されることによって第一シェルと第二シェルとを結合させる。伸縮装置は可動台座、固定座および位置決め機構を有する。可動台座は第一シェルに配置される。固定座は可動台座に対応するように第二シェルに配置される。位置決め機構は固定座および可動台座に連結され、制御端部を有する。制御端部は第一シェルの穿孔に露出する。制御端部が作動しない場合、位置決め機構はロック状態を維持するため、可動台座は固定座に相対して移動することができない。制御端部が作動すると、位置決め機構が解錠されるため、可動台座は固定座に相対して移動することができる。ガイド装置は桿状可動部および桿状固定部を有する。桿状可動部は第一シェルに配置される。桿状固定部は桿状可動部に対応するように第二シェルに配置される。
【０００５】
位置決め機構の制御端部を作動させれば、実際のニーズに応じて旅行かばんの収納空間を均等に拡張することができる。
【図面の簡単な説明】
【０００６】
【図１】本考案の第１実施形態による拡張機能付き旅行かばんを示す斜視図である。
【図２】本考案の第１実施形態による拡張機能付き旅行かばんの一部分を示す分解斜視図である。
【図３】本考案の第１実施形態による拡張機能付き旅行かばんが拡張された後の状態を示す斜視図である。
【図４】本考案の第１実施形態による拡張機能付き旅行かばんの伸縮装置を示す斜視図である。
【図５】本考案の第１実施形態による拡張機能付き旅行かばんの伸縮装置を示す分解斜視図である。
【図６】図４中の６−６線に沿った断面図である。
【図７】本考案の第１実施形態による拡張機能付き旅行かばんのガイド装置を示す斜視図である。
【図８】本考案の第１実施形態による拡張機能付き旅行かばんのガイド装置を示す分解斜視図である。
【図９】図７中の９−９線に沿った断面図である。
【図１０】本考案の第１実施形態による拡張機能付き旅行かばんのピンを示す斜視図である。
【図１１】本考案の第１実施形態による拡張機能付き旅行かばんの伸縮装置の作動状態を示す模式図である。
【図１２】本考案の第１実施形態による拡張機能付き旅行かばんの伸縮装置の作動状態を示す模式図である。
【図１３】本考案の第１実施形態による拡張機能付き旅行かばんの伸縮装置の作動状態を示す模式図である。
【図１４】本考案の第１実施形態による拡張機能付き旅行かばんの伸縮装置の作動状態を示す模式図である。
【図１５】本考案の第１実施形態による拡張機能付き旅行かばんの伸縮装置の作動状態を示す模式図である。
【考案を実施するための形態】
【０００７】
（第１実施形態）
図１から図３に示すように、本考案の第１実施形態による拡張機能付き旅行かばん１は、第一シェル１０、第二シェル２０、環状部位３０、二つの伸縮装置４０、二つのガイド装置５０および第一シェル１０に配置されたキャップ６０と、ファスナー７０とを備える。
【０００８】
第一シェル１０は、第一開口周縁部１２と、第一シェル１０の対角上に位置する二つの穿孔１４とを有する。第一シェル１０とキャップ６０とはファスナー１５によって連結される。ファスナー１５を開け、第一シェル１０に相対してキャップ６０を広げれば、拡張機能付き旅行かばん１を開けることができる。別の実施形態において、キャップ６０と第一シェル１０の結合方式は上述に限らない。キャップ６０は第二シェル２０に配置されてもよい。
【０００９】
第二シェル２０は、第二開口周縁部２２を有する。
【００１０】
環状部位３０は、一方側が第一開口周縁部１２に連結され、他方側が第二開口周縁部２２に連結されることによって第一シェル１０と第二シェル２０とを結合させる。環状部位３０は可撓性のある材料、例えば織布またはゴムなどから製作される。
【００１１】
図２に示すように、二つの伸縮装置４０は拡張機能付き旅行かばん１の左右両側に配置される。二つのガイド装置５０は拡張機能付き旅行かばん１の左右両側に配置される。左側の伸縮装置４０はガイド装置５０の下方に位置する。右側の伸縮装置４０はガイド装置５０の上方に位置する。図４から図６に示すように、伸縮装置４０は可動台座４２、固定座４４および位置決め機構４６を有する。可動台座４２は第一シェル１０に配置される。固定座４４は可動台座４２に対応するように第二シェル２０に配置される。位置決め機構４６は固定座４４および可動台座４２に連結され、制御端部４６０を有する。制御端部４６０は第一シェル１０の二つの穿孔１４に露出する。制御端部４６０が作動しない場合、位置決め機構４６はロック状態を維持するため、可動台座４２は固定座４４に相対して移動することができない。制御端部４６０が作動すると、位置決め機構４６が解錠されるため、可動台座４２は固定座４４に相対して移動することができる。
【００１２】
図７から図９に示すように、ガイド装置５０は、桿状可動部５２および桿状固定部５４を有する。桿状可動部５２は第一シェル１０に配置される。桿状固定部５４は桿状可動部５２に対応するように第二シェル２０に配置される。
【００１３】
続いて、本考案の実施形態によって伸縮装置４０およびガイド装置５０を詳しく説明する。
【００１４】
伸縮装置４０の固定座４４は、スリーブ管４４１、三つの位置決め孔４４３、二つの固定ユニット４４５および第一板部４４７を有する。スリーブ管４４１は第二シェル２０に配置される。三つの位置決め孔４４３はスリーブ管４４１の壁面に配置される。二つの固定ユニット４４５はスリーブ管４４１の両端に配置され、かつ第二シェル２０の内側面に固定される。第一板部４４７は第二シェル２０の外側面に配置され、かつ一つの第一シェル１０から遠く離れる固定ユニット４４５に接続され、かつ固定ユニット４４５との間に一定の距離を保つ。第二シェル２０は一部分が第一板部４４７と固定ユニット４４５との間に挟まれる。本実施形態において、第一板部４４７と固定ユニット４４５とは締付ユニットによって連結されるが、これに限らない。固定座４４は上述とは異なる方式によって第二シェル２０に配置されてもよい。つまり、固定ユニット４４５は省略されても、数が変わってもよい。
【００１５】
伸縮装置４０の可動台座４２は、桿状貫通部材４２１、外側基部４２３、内側基部４２５および第二板部４２７を有する。桿状貫通部材４２１はスリーブ管４４１に差し込まれる。外側基部４２３は桿状貫通部材４２１の外側端部４２１ａに配置される。内側基部４２５は桿状貫通部材４２１の内側端部４２１ｂに配置される。第二板部４２７は第一シェル１０の外側面に配置される。桿状貫通部材４２１の外側端部４２１ａはスリーブ管４４１に露出する。桿状貫通部材４２１の内側端部４２１ｂはスリーブ管４４１に入り込む。外側基部４２３は第一シェル１０の内側面に配置され、かつ第二板部４２７に連結される。第二板部４２７は外側基部４２３との間に一定の距離を保つ。第一シェル１０は一部分が第二板部４２７と外側基部４２３との間に挟まれる。第二板部４２７と外側基部４２３とは締付ユニットによって連結されるが、これに限らない。内側基部４２５は第一軸孔４２５ａおよび第一径孔部４２５ｂを有する。第一軸孔４２５ａは桿状貫通部材４２１に繋がる。第一径孔部４２５ｂは第一軸孔４２５ａおよび外部に繋がる。第二板部４２７は溝孔４２７ａおよび突起部４２７ｂを有する。位置決め機構４６の制御端部４６０は溝孔４２７ａを貫通する。突起部４２７ｂは溝孔４２７ａの横に形成され、かつ位置決め機構４６の制御端部４６０に近いため、制御端部４６０が予想外の外力を受けて作動することを抑制できる。
【００１６】
伸縮装置４０の位置決め機構４６は、ピン４６１、第一スプリング４６３、桿状連結部４６４および作動ユニット４６８を有する。ピン４６１は内側基部４２５の第一径孔部４２５ｂに伸縮できるように配置され、末端部がスリーブ管４４１の一つの位置決め孔４４３に入り込む。第一スプリング４６３は内側基部４２５に配置され、一端がピン４６１に当接し、他端が内側基部４２５の内壁に当接する。第一スプリング４６３はピン４６１を上昇させる弾力を生じるため、ピン４６１は別の外力を受けることなく、一つの位置決め孔４４３に入り込むことができる。桿状連結部４６４は桿状貫通部材４２１を貫通し、内側基部４２５の第一軸孔４２５ａに差し込まれる。作動ユニット４６８は外側基部４２３に配置され、第二板部４２７の溝孔４２７ａを貫通し、第一シェル１０の穿孔１４に露出する。本実施形態において、ピン４６１は図１０に示すように第一ガイド面４６２および中空部４６１ａを有するが、これに限らず、中空部４６１ａが省略されてもよい。第一ガイド面４６２は中空部４６１ａの内壁に形成される。桿状連結部４６４は内側端部４６５および外側端部４６６を有する。内側端部４６５は第一ガイド面４６２に当接する第二ガイド面４６７を有する。位置決め機構４６の制御端部４６０、即ち作動ユニット４６８は桿状連結部４６４の外側端部４６６に当接できる延長部４６９を有する。
【００１７】
ガイド装置５０の桿状固定部５４は、壁面に形成された三つの位置決め孔５４１および第三板部５４５を有する。桿状固定部５４は第二シェル２０の内側面に固定された固定ユニット５４３によって両端が第二シェル２０に据えられる。第三板部５４５は第二シェル２０の外側面に配置され、かつ一つの第一シェル１０から遠く離れる固定ユニット５４３に接続され、かつ固定ユニット５４３との間に一定の距離を保つ。第二シェル２０は一部分が第三板部５４５と固定ユニット５４３との間に挟まれる。第三板部５４５と固定ユニット５４３とは締付ユニットによって連結されるが、これに限らない。桿状固定部５４は上述とは異なる方式によって第二シェル２０に配置されてもよい。つまり、固定ユニット５４３は省略されても、数が変わってもよい。別の実施形態において、桿状固定部５４は実際のニーズに応じて構造が変わってもよい。
【００１８】
ガイド装置５０の桿状可動部５２は、内側端部５２ａ、外側端部５２ｂおよび第四板部５２５を有する。内側端部５２ａは桿状固定部５４内に位置する。外側端部５２ｂは第一シェル１０の内側面に固定された固定ユニット５２６によって第一シェル１０に据えられる。第四板部５２５は第一シェル１０の外側面に配置され、固定ユニット５２６に接続され、かつ固定ユニット５２６との間に一定の距離を保つ。第一シェル１０は一部分が第四板部５２５と固定ユニット５２６との間に挟まれる。第四板部５２５と固定ユニット５２６とは締付ユニットによって連結されるが、これに限らない。桿状可動部５２は穿孔５２１、位置決めユニット５２２、第二スプリング５２３、管体５２７および基部５２８を有する。穿孔５２１は桿状可動部５２の内壁の一方側かつ内側端部５２ａに位置する。位置決めユニット５２２は桿状可動部５２の穿孔５２１に格納される。第二スプリング５２３は桿状可動部５２内に配置され、両端が桿状可動部５２の内壁および位置決めユニット５２２に別々に当接するため、位置決めユニット５２２は穿孔５２１から桿状固定部５４の位置決め孔５４１に入り込む。位置決めユニット５２２は形が球状であるが、これに限らない。管体５２７は内側端部５２７ａを有する。基部５２８は管体５２７の内側端部５２７ａに配置される。本実施形態において、桿状可動部５２の内側端部５２ａ、即ち基部５２８は第二軸孔５２８ａおよび第二径孔部５２８ｂを有する。第二軸孔５２８ａは管体５２７の内部に繋がる。第二径孔部５２８ｂ、即ち桿状可動部５２の穿孔５２１は第二軸孔５２８ａおよび外部に繋がる。別の実施形態において、桿状可動部５２は実際のニーズに応じて構造が変わってもよい。
【００１９】
ファスナー７０は、環状部位３０の外側に配置され、一方側が第一開口周縁部１２に連結され、他方側が第二開口周縁部２２に連結されることによって第一シェル１０と第二シェル２０とを結合させる。別の実施形態において、第一シェル１０と第二シェル２０との連結方式は上述に限らず、実際のユーズに応じて変わっても、ファスナー７０が省略されてもよい。
【００２０】
図２に示すように、拡張機能付き旅行かばん１の左側に位置する伸縮装置４０において、第一板部４４７は突起部４４７ｂを有する。拡張機能付き旅行かばん１の左側に位置するガイド装置５０において、第三板部５４５は突起部５４５ｂを有し、第四板部５２５は突起部５２５ｂを有する。拡張機能付き旅行かばん１の左側が地面に着く際、第二板部４２７の突起部４２７ｂ、第一板部４４７の突起部４４７ｂ、第三板部５４５の突起部５４５ｂおよび第四板部５２５の突起部５２５ｂは拡張機能付き旅行かばん１の脚部になり、拡張機能付き旅行かばん１を地面に安定させることができる。このとき拡張機能付き旅行かばん１の右側において、伸縮装置４０の第一板部４４７の突起部４４７ｂと、ガイド装置５０の第三板部５４５の突起部５４５ｂおよび第四板部５２５の突起部５２５ｂとは省略されてもよい。
【００２１】
図１１に示すように、位置決め機構４６（図６参照）はロックされる。環状部位３０は収納される。ファスナー７０は締められる。ピン４６１はスリーブ管４４１上の第一シェル１０から遠く離れる位置決め孔４４３に入り込む。桿状連結部４６４の第二ガイド面４６７はピン４６１の第一ガイド面４６２の一部分に当接する。図１２および図１３に示すように、拡張機能付き旅行かばん１の収納量を増やす際、ファスナー７０を開け、続いて、図１２の左方向に向かって作動ユニット４６８を移動させ、作動ユニット４６８の延長部４６９を桿状連結部４６４に当接させると同時に作動ユニット４６８の一部分を第二板部４２７の突出部４２７ｂに当接させる。このとき桿状連結部４６４の第二ガイド面４６７はピン４６１の第一ガイド面４６２に当接することによって第一スプリング４６３に抵抗する反発力をピン４６１に提供するため、ピン４６１は弾力を抑制し、位置決め孔４４３から逸脱し、位置決め機構４６を解放する。図１４および図１５に示すように、図の左方向に向かって作動ユニット４６８を移動させ続ければ、可動台座４２は固定座４４に相対して移動する。ガイド装置５０の位置決めユニット５２２は桿状固定部５４の壁面によって第二スプリング５２３の弾力を抑制し、位置決め孔５４１から逸脱する。このときガイド装置５０の桿状可動部５２は桿状固定部５４に相対して移動でき、移動した距離が伸縮装置４０の可動台座４２の移動した距離と同じである。ピン４６１が固定座４４５のスリーブ管４４１を通って別の一つの位置決め孔４４３へ移動する際、作動ユニット４６８を解放し、桿状連結部４６４の第二ガイド面４６７がピン４６１の第一ガイド面４６２に作用することを解消すれば、ピン４６１は第一スプリング４６３の弾力によって位置決め孔４４３に入り込み、安定する。ガイド装置５０の位置決めユニット５２２はそれに対応する別の一つの位置決め孔５４１に入り込み、安定する。このとき位置決め機構４６はロックされ、環状部位３０は拡張されたため、拡張機能付き旅行かばん１の収納量が増大する。
【００２２】
二つの伸縮装置４０と二つのガイド装置５０とは伸縮方向が一致し、かつ拡張機能付き旅行かばん１の四隅に分布するため、二つの伸縮装置４０の作動ユニット４６８を同時に作動させれば、第一シェル１０は斜めにならず第二シェル２０の方向と逆向きに均等に移動し、収納量に応じて拡張機能付き旅行かばん１の収納空間を増大させることができる。一方、第一シェル１０および第二シェル２０がプラスチック製ハードケースからなる場合、拡張機能付き旅行かばん１を保護し、ケース内の荷物を損壊させてしまうことを抑制することができる。
【００２３】
別の実施形態において、伸縮装置４０およびガイド装置５０の数は二つに限らず、一つ以上であればよい。伸縮装置４０およびガイド装置５０の配置位置または配置方式は上述に限らず、変わってもよい。位置決め孔４４３、５４１の数は上述に限らず、実際のニーズに応じて増減してもよい。伸縮装置４０の固定座４４および可動台座４２は互いの位置が入れ替わってもよい。つまり第一シェル１０に固定座４４を配置し、第二シェル２０に可動台座４２を配置してもよい。同様にガイド装置５０の桿状固定部５４を第一シェル１０に配置し、ガイド装置５０の桿状可動部５２を第二シェル２０に配置してもよい。第一板部４４７、第二板部４２７、第三板部５４５および第四板部５２５は拡張機能付き旅行かばん１の視覚効果を増す（例えばねじを遮蔽する）ことができるが、実際のニーズに応じて省略されてもよい。
【００２４】
以上、本考案は、上記実施形態になんら限定されるものではなく、考案の趣旨を逸脱しない範囲において種々の形態で実施可能である。
【符号の説明】
【００２５】
１：拡張機能付き旅行かばん、  
１０：第一シェル、  
１２：第一開口周縁部、  
１４：穿孔、  
１５ファスナー、  
２０：第二シェル、  
２２：第二開口周縁部、  
３０：環状部位、  
４０；伸縮装置、  
４２：可動台座、  
４２１：桿状貫通部材、  
４２１ａ：外側端部、  
４２１ｂ：内側端部、  
４２３；外側基部、  
４２５：内側基部、  
４２５ａ：第一軸孔、  
４２５ｂ：第一径孔部、  
４２７：第二板部、
４２７ａ：溝孔、  
４２７ｂ：突起部、  
４４：固定座、  
４４１：スリーブ管、  
４４３：位置決め孔、  
４４５：固定ユニット、  
４４７：第一板部、  
４４７ｂ：突起部、  
４６：位置決め機構、  
４６０：制御端部、  
４６１：ピン、  
４６１ａ：中空部、  
４６２：第一ガイド面、  
４６３：第一スプリング、  
４６４：桿状連結部、  
４６５：内側端部、  
４６６：外側端部、  
４６７：第二ガイド面、  
４６８：作動ユニット、  
４６９：延長部、  
５０：ガイド装置、  
５２：桿状可動部、  
５２ａ：内側端部、  
５２ｂ：外側端部、  
５２１：穿孔、  
５２２：位置決めユニット、  
５２３：第二スプリング、  
５２５：第四板部、  
５２５ｂ：突起部、  
５２６：固定ユニット、  
５２７：管体、  
５２７ａ：内側端部、  
５２８：基部、  
５２８ａ：第二軸孔、  
５２８ｂ：第二径孔部、  
５４：桿状固定部、  
５４１：位置決め孔、  
５４３：固定ユニット、  
５４５：第三板部、  
５４５ｂ：突起部、  
６０：キャップ、  
７０：ファスナー
【図１】
0003205867.tif 000003
【図２】
0003205867.tif 000004
【図３】
0003205867.tif 000005
【図４】
0003205867.tif 000006
【図５】
0003205867.tif 000007
【図６】
0003205867.tif 000008
【図７】
0003205867.tif 000009
【図８】
0003205867.tif 000010
【図９】
0003205867.tif 000011
【図１０】
0003205867.tif 000012
【図１１】
0003205867.tif 000013
【図１２】
0003205867.tif 000014
【図１３】
0003205867.tif 000015
【図１４】
0003205867.tif 000016
【図１５】
0003205867.tif 000017